(57)【要約】【課題】簡単な操作により天端を覆って設置でき、雨の日であっても雨養生をすることなく施工でき、風の日であっても塵埃の飛散の影響を受けずしかも風で飛ばされることが防止でき、子供のいたずらや犬や猫などの動物などにより天端が損傷されることが少なくできる。【解決手段】支柱Ａの基端部付近に配置された未固化の埋設材の天端をほぼ覆って配置されるほぼ平面状の保護カバー本体２を備え、保護カバー本体には、支柱が挿入される支柱挿入部２ａと、側端部２ｂ，２ｃ同士を連結してほぼ錐状にする連結部２ｄ，２ｅと、支柱挿入部に形成され雨水などが支柱を伝って侵入することを防止する水滴侵入防止部２ｆと、周縁部に道路などに釘止めなどにより固定する際に釘などが挿入させる釘挿入孔部２ｇと、保護カバー本体表面に形成されたわみ難くしてほぼ推状の保形させる補強部２ｈとが形成されている。【選択図】図１
2008111236.tif 000002
【特許請求の範囲】
【請求項１】
支柱を道路に設けた穴に挿入して当該穴内にコンクリートなどの埋設材を打設して前記支柱を埋設する際に、前記支柱の基端部付近に配置された未固化の埋設材の天端を覆うように取り付けられる支柱埋設材の保護カバーであって、前記埋設材の天端をほぼ覆って配置されるほぼ平面状の保護カバー本体を備え、当該保護カバー本体には前記支柱が挿入される支柱挿入部と、前記保護カバー本体の側端部同士を連結して前記保護カバー本体をほぼ錐状にする連結部とが形成されていることを特徴とする支柱埋設材の保護カバー。
【請求項２】
前記支柱挿入部には、雨水などの水滴が支柱を伝って前記保護カバー本体により覆われた埋設材の天端側に侵入することを防止ないし抑制する水滴侵入防止部が形成されていることを特徴とする請求項１記載の支柱埋設材の保護カバー。
【請求項３】
前記保護カバー本体の周縁部には、当該保護カバー本体を道路などに釘止めなどにより固定する際に釘などを挿入する釘挿入孔部が形成されていることを特徴とする請求項１記載の支柱埋設材の保護カバー。
【請求項４】
前記保護カバー本体の表面には、当該保護カバー本体自体をたわみ難くしてほぼ推状に保形させる補強部が形成されていることを特徴とする請求項１記載の支柱埋設材の保護カバー。
【請求項５】
前記保護カバー本体が複数個の保護カバー本体部材からなり、各保護カバー本体部材の側端部には隣接する保護カバー本体部材同士を相互に連結してほぼ推状にする連結部が形成されていることを特徴とする請求項１記載の支柱埋設材の保護カバー。
【発明の詳細な説明】
【技術分野】
【０００１】
本発明は、道路の歩道などに防護柵・車止め・交通標識などの支柱をコンクリートなどからなる埋設材によって埋設する場合に、埋設材の天端の仕上げ面を覆って配置して、降雨、塵埃の飛散不着、子供などのいたずらなどから天端を保護する支柱埋設材の保護カバーに関する。
【背景技術】
【０００２】
従来、道路の歩道等に防護柵・車止め・交通標識などを設置することが行われている。
【０００３】
かかる従来における道路の歩道などに防護柵・車止め・交通標識などを設置する作業は、道路などに穴を掘削し、その穴に防護柵・車止め・交通標識などの支柱を挿入し、その穴内にコンクリートなどの埋設材を打設し、この後、支柱の基端部付近に配置された未固化の埋設材の天端を仕上げ、埋設材を固化せることにより行われる。
【発明の開示】
【発明が解決しようとする課題】
【０００４】
しかしながら、雨が降りだしそうなときには、降雨によりコンクリートの天端の仕上げ面が傷ついたり汚れたりしないように、作業日程を延期したり、天端を下げて施工しておき後日晴れた日にコンクリート天端のみを仕上げを行うようにしていた。
【０００５】
工期に余裕がない場合においては、小雨であれば施工を強行する場合があるが、雨によってコンクリートの天端が損傷しないように、天端部付近にシートを掛けるなどのいわゆる雨養生に多くの時間が取られることが多かった。
【０００６】
風が強い日には塵埃などが飛散して付着する場合があり、塵埃の付着で汚れた天端を再度仕上げする必要が生じ時間がかかる場合があった。
【０００７】
晴れた日や風の強くない日であっても、コンクリートの天端の仕上げをしっかりとしても、コンクリートの天端が固化する前に、子供のいたずらや犬や猫が天端を歩くことにより足跡がついたりすることもあり、このように天端に損傷を受けた場合には、後日天端を再度仕上げをする必要が生じ、２度手間、３度手間となる場合があった。
【０００８】
以上のような事情から、打設された支柱埋設材の天端を適切に保護しないと、工事に手間がかかり、施工管理、工事工程に支障が出る場合が多かった。
【０００９】
本発明は、かかる事情に鑑みてなされたもので、簡単な操作により天端を覆って設置することができ、雨の日であっても雨養生をすることなく施工することができ、風の日であっても塵埃の飛散の影響を受けず、子供のいたずらや犬や猫などの動物などにより天端を損傷されることが少なく、施工管理や工事工程の管理が便利である支柱埋設材の保護カバーを提供することを目的とする。
【課題を解決するための手段】
【００１０】
（１）本発明の請求項１記載の支柱埋設材の保護カバーは、支柱を道路に設けた穴に挿入して当該穴内にコンクリートなどの埋設材を打設して前記支柱を埋設する際に、前記支柱の基端部付近に配置された未固化の埋設材の天端を覆うように取り付けられる支柱埋設材の保護カバーであって、前記埋設材の天端をほぼ覆って配置されるほぼ平面状の保護カバー本体を備え、当該保護カバー本体には前記支柱が挿入される支柱挿入部と、前記保護カバー本体の側端部同士を連結して前記保護カバー本体をほぼ錐状にする連結部とが形成されていることを特徴とする。
（２）本発明の請求項２記載の支柱埋設材の保護カバーは。前記支柱挿入部には、雨水などの水滴が支柱を伝って前記保護カバー本体により覆われた埋設材の天端側に侵入することを防止ないし抑制する水滴侵入防止部が形成されていることを特徴とする。
（３）本発明の請求項３記載の支柱埋設材の保護カバーは、前記保護カバー本体の周縁部には、当該保護カバー本体を道路などに釘止めなどにより固定する際に釘などを挿入する釘挿入孔部が形成されていることを特徴とする。
（４）本発明の請求項４記載の支柱埋設材の保護カバーは、前記保護カバー本体の表面には、当該保護カバー本体自体をたわみ難くしてほぼ推状に保形させる補強部が形成されていることを特徴とする。
（５）本発明の請求項５記載の支柱埋設材の保護カバーは。前記保護カバー本体が複数個の保護カバー本体部材からなり、各保護カバー本体部材の側端部には隣接する保護カバー本体部材同士を相互に連結してほぼ推状にする連結部が形成されていることを特徴とする。
【発明の効果】
【００１１】
（１）保護カバー本体の支柱挿入部内に支柱の基端部付近を挿入して配置し、保護カバー本体をその連結部を連結して埋設材の天端を覆って推状にすることにより天端を保護でき、雨や塵埃の侵入や子供のいたずらや動物の侵入を防止することができ、天端の損傷を抑制して、天端の仕上げ作業のやり直しを極力無くすことができ、工期管理や日程管理を容易とすることができる。
（２）支柱挿入部に形成した水滴侵入防止部により支柱を伝って雨水などの水滴が埋設材の天端側に侵入することが効果的に抑制・防止でき、保護カバー本体による雨の侵入防止とともに、支柱を伝って雨水などの水滴が侵入することを防止し天端の損傷が防止できる。
（３）釘挿入孔部に釘やネジを挿入して道路などの地面に打ち込むことにより、埋設材の保護カバーを道路などにしっかりと固定することができ、風により保護カバーが吹き飛ばされることなどが低減・防止できる。
（４）補強部により保護カバー本体のたわみが抑制でき、保護カバー本体が推状に保形でき、雨水などの水滴が天端に流れ込むことが低減・防止できる。
（５）１個の埋設材の保護カバーを複数枚の保護カバー本体部材を連結部で連結させて形成するものでは、１個の保護カバー本体部材を製造する型の大きさを小さくすることができ型の製造コストが低減でき、保護カバー本体部材の１個の大きさも小さくなり、運搬や保管も容易できる。
【発明を実施するための最良の形態】
【００１２】
図面を参照して、本発明の実施の形態に係る支柱埋設材の保護カバーについて説明する。図１は本発明の支柱埋設材の保護カバー１を展開した状態を示す展開図、図２は保護カバー本体２の側端部を示す拡大図、図３は本保護カバー１の使用状態を示す斜視図である。
【００１３】
本支柱埋設材の保護カバー１は、支柱Ａを道路に設けた穴に挿入して穴内にコンクリートなどの埋設材を打設して支柱Ａを埋設する際に、図３に示すように、支柱の基端部付近に配置された未固化の埋設材の天端を覆うように取り付けられるものである。
【００１４】
支柱埋設材の保護カバー１は、埋設材の天端をほぼ覆って配置されるほぼ平面状のシート部材からなる保護カバー本体２を備え、保護カバー本体２には支柱Ａが挿入される円形状をした支柱挿入部２ａが形成されている。シート部材は板厚が例えば０．５〜３．０ｍｍ程度の透明ないし半透明なプラスチック材料から形成され、以下に述べる各部は熱プレス加工などにより形成される。
【００１５】
保護カバー本体２の側端部２ｂ，２ｃには保護カバー本体２を、図３に示すように、ほぼ角錐状にするための連結部２ｄ，２ｅが形成されている。連結部２ｄは円柱状に突出された突出形状をしており、連結部２ｅは連結部２ｄが着脱自在に嵌合させられる立方体状に窪んだ凹形状をしている。
【００１６】
保護カバー本体２は、角錐状の稜線を形成するために折り曲げられえる折曲部２ｊ，２ｋが、シート部材の肉厚を若干薄くするなどの方法により形成されている。折曲部２ｊは一体部分にて稜線を形成する部分であり、折曲部２ｋは側端部２ｂ，２ｃに稜線を形成するものでありかつ連結部２ｄ，２ｅを係合させるために折り曲げられる部分である。また、保護カバー本体２を角錐状とした場合に底面に沿うように外周縁部を折り曲げる折曲部２ｍが同様にシート部材の肉厚を若干薄くするなどの方法により形成されている。折曲部２ｊが外側に向けて凸になるように形成されているのに対して、折曲部２ｋ、折曲部２ｍが外側に向けて凹になるように形成されている。
【００１７】
支柱挿入部２ａには、雨水などの水滴が支柱Ａを伝って保護カバー本体２により覆われた埋設材の天端側に侵入することを防止ないし抑制する水滴侵入防止部２ｆが形成されている。水滴侵入防止部２ｆは、支柱挿入部２ａを径方向に多数の切り込みを入れて多数の凸片を連続して形成したものである。
【００１８】
保護カバー本体２の周縁部には、保護カバー本体２を道路などに釘止めなどにより固定する際に釘などを挿入するための釘挿入孔部２ｇが形成されている。図では釘挿入孔部２ｇは保護カバー本体２の各辺に３個づつ形成してあるが、個数や形状は任意に選択することができる。
【００１９】
保護カバー本体２の表面には、保護カバー本体２自体をたわみ難くしてほぼ推状に保形させるための補強部２ｈが形成されている。補強部２ｈは、シート部材を型押しして表側に突出させた補強リブ部形状をしており、保護カバー本体２の表面に縦横斜めに形成されている。雨水などは補強部２ｈに沿って下方に流れることになる。
【００２０】
以下に図面を参照して、本発明の実施の形態に係る支柱埋設材の保護カバー１の使用方法について説明する。
【００２１】
まず、保護カバー本体２をその折曲部２ｊにおいて上側に折り目を付けて軽く曲げてほぼ角錐状とする。次に、折曲部２ｋにおいて表側に手で軽く曲げる。保護カバー本体２の側端部２ｂ，２ｃのそれぞれを持って保護カバー本体２を軽く開き、開いた開口部を通して保護カバー本体２の中心部付近に形成された支柱挿入部２ａに支柱Ａを納める。そのとき、支柱挿入部２ａに形成された水滴侵入防止部２ｆを構成する多数の凸辺が外側に位置するように軽く折り曲げて、支柱Ａに沿うように配置させる。
【００２２】
次いで、保護カバー本体２の両側端部２ｂ，２ｃに形成された連結部２ｄと連結部２ｅを噛み合わせることにより保護カバー本体２を角錐状に組み立てる。保護カバー本体２の周縁部の釘挿入孔部２ｇにコンクリート釘を通して道路などに打ち込んで保護カバー本体２が飛ばされないように固定して設置を完了させる。
【００２３】
保護カバー本体２の支柱挿入部２ａを埋設保持された支柱Ａの基端部付近に配置して、保護カバー本体２の連結部２ｄ，２ｅを連結して天端を覆って角推状にすることにより、雨水や塵埃の侵入や子供のいたずらや動物の侵入による損傷が防止でき、天端の損傷を抑制して、天端の仕上げ作業のやり直しが極力無くせ、工期管理や日程管理が容易になる。
【００２４】
支柱挿入部２ａに形成した水滴侵入防止部２ｆの凸片により支柱Ａを伝って雨水などの水滴が天端側に侵入することが効果的に抑制・防止でき、角錐形状にされた保護カバー本体２による雨の侵入防止効果とともに、支柱Ａを伝った雨水などの水滴の侵入も防止でき天端の損傷が防止できる。
【００２５】
釘挿入孔部２ｇに釘やネジを挿入して道路などの地面に打ち込んで、保護カバー本体２を道路などにしっかりと固定でき、風により保護カバー本体２が吹き飛ばされることなどが低減・防止できる。
【００２６】
補強部２ｈにより保護カバー本体２がたわむことが抑制でき、保護カバー本体２を確実に角推状に保形でき、雨水などの水滴が天端に流れ込むことが低減・防止できる。
【００２７】
なお、保護カバー本体を、例えば角錐の各側面を形成する複数個の保護カバー本体部材から形成し各保護カバー本体部材の側端部に隣接する保護カバー本体部材を相互に連結してほぼ推状にする連結部を形成するようにしてもよい。
【００２８】
このものでは、複数枚の保護カバー本体部材を連結部で連結させて１個の保護カバーを形成でき、１個の保護カバー本体部材を製造する型の大きさが小さくでき製造コストが低減でき、保護カバー本体部材の１個の大きさが小さくなっているので運搬や保管も容易にできる。
【００２９】
上記実施の形態に係る支柱埋設材の保護カバーでは、四角錐状になるようにしているが、四角錐ではない多角錐状であっても、円推状であってもよい。
【００３０】
上述の実施の形態に係る支柱埋設材の保護カバーでは、連結部２ｄ，２ｅにより側端部を連結するようにしているが、例えばホチキス（登録商標）のようなステープラーや所望の締付力を備えたクリップ（締結具）により着脱自在に連結するようにしてもよい。
【００３１】
上述の実施の形態に係る支柱埋設材の保護カバーでは、水滴侵入防止部２ｆを単に支柱Ａに沿わせるだけであったが、水滴侵入防止部２ｆにテープを巻き付けることにより水滴侵入防止を確実にすることもできる。
【図面の簡単な説明】
【００３２】
【図１】本発明の実施の一形態に係る支柱埋設材の保護カバーを示す展開図である。
【図２】本発明の実施の一形態に係る保護カバー本体の側端部付近を示す拡大図である。
【図３】本発明の実施の一形態に係る支柱埋設材の保護カバーの使用状態を示す斜視図である。
【符号の説明】
【００３３】
１  支柱埋設材の保護カバー
２  保護カバー本体
２ａ  支柱挿入部
２ｂ，２ｃ  側端部
２ｄ，２ｅ  連結部
２ｆ  水滴侵入防止部
２ｇ  釘挿入孔部
２ｈ  補強部
２ｊ  折曲部
２ｋ  折曲部
２ｍ  折曲部
Ａ  支柱
【図１】
2008111236.tif 000003
【図２】
2008111236.tif 000004
【図３】
2008111236.tif 000005